(57)【要約】【課題】窓からの昼光を効率よく導入して照明エネルギーを削減しつつ室内の光環境を向上させることができるとともに、容易に構築することができる窓部構造、窓部構造の設置方法および窓部の改修方法を提供する。【解決手段】室内１１と室外１２とを仕切る壁面１３に設けられた窓ガラス（窓）１４に沿って設置される窓部構造１Ａにおいて、窓ガラス１４の室内１１側に設けられたブラインド２と、窓ガラス１４の面の上部１４ａ側に貼りつけられて室外１２から入射した昼光を室内１１において天井１７（上方）に向かうように屈折可能な光屈折フィルム３と、を備え、ブラインド２は、窓ガラス１４の面の少なくとも上部１４ａ側よりも下方の下部１４ｂ側に沿って設けられている。【選択図】図１
2015101861.tif 000002
【特許請求の範囲】
【請求項１】
室内と室外とを仕切る壁面に設けられた窓に沿って設置される窓部構造において、
前記窓の前記室内側に設けられたブラインドと、
前記窓の窓面の上部側に貼りつけられて、前記室外から入射した昼光を前記室内において上方に向かうように屈折可能な光屈折フィルムと、を備え、
前記ブラインドが、少なくとも前記窓の上部側よりも下方の下部側に沿って設けられていることを特徴とする窓部構造。
【請求項２】
前記ブラインドは、前記窓面の全面に沿って設けられていて前記窓面の高さ方向全長にわたって配列されて水平方向に延びる複数のスラットを備え、
該複数のスラットのうち、前記窓面の上部側に対応する位置に設けられている複数の上側スラットは、該複数の上側スラットよりも下側に設けられている複数の下側スラットよりも、高さ方向に隣り合う前記スラットの間隔が大きいことを特徴とする請求項１に記載の窓部構造。
【請求項３】
前記ブラインドは、前記窓面の全面に沿って設けられていて前記窓面の高さ方向全長にわたって配列されて水平方向に延びる複数のスラットを備え、
該複数のスラットのうち、前記窓面の上部側に対応する位置に設けられている複数の上側スラットは、光透過性の材料で形成されていることを特徴とする請求項１または２に記載の窓部構造。
【請求項４】
前記ブラインドは、前記窓面の全面に沿って設けられていて前記窓面の高さ方向全長にわたって配列されて水平方向に延びる複数のスラットを備え、
該複数のスラットのうち、前記窓面の上部側に対応する位置に設けられている複数の上側スラットは、該複数の上側スラットよりも下側に設けられている複数の下側スラットよりも、入射した前記昼光を反射させる反射率が高いことを特徴とする請求項１または２に記載の窓部構造。
【請求項５】
前記ブラインドは、前記窓面の全面に沿って設けられていて前記窓面の高さ方向全長にわたって配列されて水平方向に延びる複数のスラットを備え、
該複数のスラットのうち、前記窓面の上部側に対応する位置に設けられている複数の上側スラットは、該複数の上側スラットよりも下側に設けられている複数の下側スラットよりも、水平面に対する傾斜角度が小さいことを特徴とする請求項１乃至４のいずれか１項に記載の窓部構造。
【請求項６】
請求項１乃至５のいずれか１項に記載の窓部構造を設置するための窓部構造の設置方法において、
前記窓面の上部側に前記光屈折フィルムを貼る光屈折フィルム貼付工程と、
前記ブラインドを設置するブラインド設置工程と、を備えることを特徴とする窓部構造の設置方法。
【請求項７】
室内と室外とを仕切る壁面に設けられた窓に沿ってブラインドが既設され、該ブラインドは、前記窓の窓面の高さ方向全長にわたって配列されて水平方向に延びる複数のスラットを備える窓部構造の改修方法において、
前記室外から入射した昼光を前記室内において上方に向かうように屈折可能な光屈折フィルムを前記窓面の上部側に貼る光屈折フィルム貼付工程と、
前記複数のスラットのうち、前記窓面の上部側に対応する位置に設けられている複数の上側スラットを改修して前記窓面の上部側に入射した昼光を前記室内へ導入しやすくするブラインド改修工程と、を備えることを特徴とする窓部構造の改修方法。
【請求項８】
前記ブラインド改修工程では、複数の上側スラットの少なくとも一部を間引くことを特徴とする請求項７に記載の窓部構造の改修方法。
【請求項９】
前記ブラインド改修工程では、前記複数の上側スラットの水平面に対する傾斜角度が、該複数の上側スラットよりも下側に設けられている複数の下側スラットの水平面に対する傾斜角度よりも小さくなるように調整することを特徴とする請求項７または８に記載の窓部構造の改修方法。
【請求項１０】
前記ブラインド改修工程では、前記複数の上側スラットを光透過性の材料で形成されているスラットに付け替えることを特徴とする請求項７乃至９のいずれか１項に記載の窓部構造の改修方法。
【請求項１１】
前記ブラインド改修工程では、前記上側スラットを入射した昼光を反射させる反射率がより高いスラットに付け替えることを特徴とする請求項７乃至９のいずれか１項に記載の窓部構造の改修方法。
【請求項１２】
前記ブラインド改修工程では、前記複数の上側スラットを全て外すことを特徴とする請求項７に記載の窓部構造の改修方法。
【発明の詳細な説明】
【技術分野】
【０００１】
本発明は、昼光を利用して照明エネルギーを削減しつつ室内の光環境を向上させるための窓部構造、窓部構造の設置方法および窓部構造の改修方法に関する。
【背景技術】
【０００２】
従来、室内で使用する照明エネルギーの削減を図る場合、窓からの昼光を積極的に室内に導入し利用することは、照明の消費電力削減のための有効な手段の一つとなっている。
特に導入した昼光を天井へ反射させることで、室内の眩しさを抑えるとともに、照明の点灯照度を低くしたり点灯時間を短くしたりしながら室内の明るさを確保することができる効果がある。
このような効果を狙うために、窓面の室内側や室外側に昼光を天井へ反射させるライトシェルフやルーバを設置する方法が知られている。
また近年、例えば特許文献１に開示されているような入射光を屈折させることができる内部構造を有する光屈折フィルムが開発されており、この光屈折フィルムを直接窓面に貼ることで、窓に入射した昼光を天井へ反射させ、室内を明るくする方法も知られている。
【先行技術文献】
【特許文献】
【０００３】
【特許文献１】特開２０１２−２２４９７５号公報
【発明の概要】
【発明が解決しようとする課題】
【０００４】
しかしながら、ライトシェルフやルーバを設置する方法では、ライトシェルフやルーバの設置に手間やコストがかかるという問題がある。特に、中層建物や高層建物の改修工事においてライトシェルフやルーバを屋外に設置する場合、大掛かりな外装工事が必要となる。
一方、光屈折フィルムを窓面に貼る方法では、大掛かりな外装工事は必要とはならないが、光屈折フィルムは居住者の目線よりも低い位置に貼りつけると、屈折して天井へ向かう昼光が居住者へあたるため、居住者が眩しく感じるという問題がある。このため、目線よりも低い位置には光屈折フィルムを貼りつけないことが考えられるが、このようにすると光屈折フィルムが貼りつけられていない部分から直接昼光が入り込んでしまうという問題がある。
【０００５】
本発明は、上述する問題点に鑑みてなされたもので、窓からの昼光を効率よく導入して照明エネルギーを削減しつつ室内の光環境を向上させることができるとともに、容易に構築することができる窓部構造、窓部構造の設置方法および窓部構造の改修方法を提供することを目的とする。
【課題を解決するための手段】
【０００６】
上記目的を達成するため、本発明に係る窓部構造は、室内と室外とを仕切る壁面に設けられた窓に沿って設置される窓部構造において、前記窓の前記室内側に設けられたブラインドと、前記窓の窓面の上部側に貼りつけられて、前記室外から入射した昼光を前記室内において上方に向かうように屈折可能な光屈折フィルムと、を備え、前記ブラインドが、少なくとも前記窓の上部側よりも下方の下部側に沿って設けられていることを特徴とする。
【０００７】
また、本発明に係る窓部構造の設置方法は、上記の窓部構造を設置するための窓部構造の設置方法において、前記窓面の上部側に前記光屈折フィルムを貼る光屈折フィルム貼付工程と、前記ブラインドを設置するブラインド設置工程と、を備えることを特徴とする。
【０００８】
本発明では、窓面の上部側に光屈折フィルムが貼りつけられていることにより、窓面の上部側に入射した昼光は、光屈折フィルムによって屈折して天井に向かうように構成されている。一方、窓面の少なくとも下部側にブラインドが設けられていることにより、窓面の下部側に入射した昼光は、ブラインドによって遮蔽される。
そして、窓面に入射した昼光のうち、窓面の上部側に入射して光屈折フィルムに入射する昼光は、光屈折フィルムによって室内の天井に向かうように屈折し、室内の天井にあたり室内に向かって反射するため、昼光を効率よく利用して室内を明るくすることができる。
また、窓面に入射した昼光のうち、窓面の下部側に入射した昼光（光屈折フィルムへ入射しない昼光）は、ブラインドによって室内へ入射しないように遮蔽されるため、室内の居住者に直接昼光が当たることがなく、居住者が眩しさを感じることをなくすことができて、照明エネルギーを削減しつつ室内の光環境を向上させることができる。
また、光屈折フィルム貼付工程と、上記のようなブラインドを設置するブラインド設置工程とを行うことで、照明エネルギーを削減しつつ室内の光環境を向上させることができる窓部構造を容易に構築することができる。
【０００９】
また、本発明に係る窓部構造では、前記ブラインドは、前記窓面の全面に沿って設けられていて前記窓面の高さ方向全長にわたって配列されて水平方向に延びる複数のスラットを備え、該複数のスラットのうち、前記窓面の上部側に対応する位置に設けられている複数の上側スラットは、該複数の上側スラットよりも下側に設けられている複数の下側スラットよりも、高さ方向に隣り合う前記スラットの間隔が大きい構成としてもよい。
また、本発明に係る窓部構造では、前記ブラインドは、前記窓面の全面に沿って設けられていて前記窓面の高さ方向全長にわたって配列されて水平方向に延びる複数のスラットを備え、該複数のスラットのうち、前記窓面の上部側に対応する位置に設けられている複数の上側スラットは、該複数の上側スラットよりも下側に設けられている複数の下側スラットよりも、水平面に対する傾斜角度が小さい構成としてもよい。
【００１０】
このようにすることにより、窓面の上部側に入射し光屈折フィルムによって屈折した昼光は、高さ方向に隣り合う上側スラットの間を通過しやすくなるため、窓面の上部側に入射し光屈折フィルムによって屈折した昼光を室内へ導入させやすくすることができるとともに、窓面の下部側に入射した昼光を下部側スラットによって室内へ入射しないように遮蔽することができる。
【００１１】
また、本発明に係る窓部構造では、前記ブラインドは、前記窓面の全面に沿って設けられていて前記窓面の高さ方向全長にわたって配列されて水平方向に延びる複数のスラットを備え、該複数のスラットのうち、前記窓面の上部側に対応する位置に設けられている複数の上側スラットは、光透過性の材料で形成されていてもよい。
【００１２】
このようにすることにより、窓面の上部側に入射し光屈折フィルムによって屈折した昼光は、上側スラットによって遮蔽されることがないため、窓面の上部側に入射し光屈折フィルムによって屈折した昼光を室内へ導入させやすくすることができるとともに、窓面の下部側に入射した昼光を上側スラットよりも下方のスラットによって室内へ入射しないように遮蔽することができる。
【００１３】
また、本発明に係る窓部構造では、前記ブラインドは、前記窓面の全面に沿って設けられていて前記窓面の高さ方向全長にわたって配列されて水平方向に延びる複数のスラットを備え、該複数のスラットのうち、前記窓面の上部側に対応する位置に設けられている複数の上側スラットは、該複数の上側スラットよりも下側に設けられている複数の下側スラットよりも、入射した前記昼光を反射させる反射率が高い構成としてもよい。
【００１４】
このようにすることにより、窓面の上部側に入射し光屈折フィルムによって屈折した昼光は、一部が上下方向に隣り合う上側スラットの間を通過し、その他の一部が上側スラットにあたり室内の天井へ向かってよく反射するため、窓面の上部側に入射し光屈折フィルムによって屈折した昼光を室内へ導入させやすくできるとともに、窓面の下部側に入射した昼光を上側スラットよりも下方のスラットによって室内へ入射しないように遮蔽することができる。
【００１５】
また、本発明に係る窓部構造の改修方法は、室内と室外とを仕切る壁面に設けられた窓に沿ってブラインドが既設され、該ブラインドは、前記窓の窓面の高さ方向全長にわたって配列されて水平方向に延びる複数のスラットを備える窓部構造の改修方法において、前記室外から入射した昼光を前記室内において上方に向かうように屈折可能な光屈折フィルムを前記窓面の上部側に貼る光屈折フィルム貼付工程と、前記複数のスラットのうち、前記窓面の上部側に対応する位置に設けられている複数の上側スラットを改修して前記窓面の上部側に入射した昼光を前記室内へ導入しやすくするブラインド改修工程と、を備えることを特徴とする。
【００１６】
このように、光屈折フィルム貼付工程と、ブラインド改修工程とを行うことで、窓面の上部側に入射し前記室内において上方に向かうように屈折した昼光を室内へ導入しやすくなり、室内へ導入されたこの昼光が室内の天井にあたり室内に向かって反射するため、昼光を効率よく利用して室内を明るくすることができる。
そして、窓面の下部側に入射した昼光は上側スラットよりも下方のスラットによって室内へ入射しないように遮蔽することができるため、照明エネルギーを削減しつつ室内の光環境を向上させることができる窓部構造を改修工事においても容易に構築することができる。
なお、上側スラットの改修とは、上側スラットの全部または一部の撤去や交換、または上側スラットに加工を加える、上側スラットを調整するなどの行為を示している。
【００１７】
また、本発明に係る窓部構造の改修方法は、前記ブラインド改修工程では、複数の上側スラットの少なくとも一部を間引いてもよい。
また、本発明に係る窓部構造の改修方法は、前記ブラインド改修工程では、前記複数の上側スラットの水平面に対する傾斜角度が、該複数の上側スラットよりも下側に設けられている複数の下側スラットの水平面に対する傾斜角度よりも小さくなるように調整してもよい。
【００１８】
このようにすることにより、窓面の上部側に入射し光屈折フィルムによって屈折した昼光は、高さ方向に隣り合う上側スラットの間を通過しやすくなるため、窓面の上部側に入射し光屈折フィルムによって屈折した昼光を室内へ導入させやすくすることができる。
【００１９】
また、本発明に係る窓部構造の改修方法は、前記ブラインド改修工程では、前記複数の上側スラットを光透過性の材料で形成されているスラットに付け替えてもよい。
【００２０】
このようにすることにより、窓面の上部側に入射し光屈折フィルムによって屈折した昼光のうちの大部分は、上側スラットによって遮蔽されることがないため、窓面の上部側に入射し光屈折フィルムによって屈折した昼光を室内へ導入させやすくすることができる。
【００２１】
また、本発明に係る窓部構造の改修方法は、前記ブラインド改修工程では、前記上側スラットを入射した昼光を反射させる反射率がより高いスラットに付け替えてもよい。
【００２２】
このようにすることにより、窓面の上部側に入射し光屈折フィルムによって屈折した昼光は、一部が上下方向に隣り合う上側スラットの間を通過し、その他の一部が上側スラットにあたり室内の天井へ向かって効率よく反射するため、窓面の上部側に入射し光屈折フィルムによって屈折した昼光を室内へ導入させやすくすることができる。
【００２３】
また、本発明に係る窓部構造の改修方法は、前記ブラインド改修工程では、前記複数の上側スラットを全て外してもよい。
【００２４】
このようにすることにより、窓面の上部側に入射し光屈折フィルムによって屈折した昼光は、上側スラットによって遮蔽されることがないため、窓面の上部側に入射し光屈折フィルムによって屈折した昼光を室内へ導入させやすくすることができる。
【発明の効果】
【００２５】
本発明によれば、窓面の上部側に光屈折フィルムが貼りつけられていることにより、窓面の上部側に入射した昼光は、光屈折フィルムによって屈折して天井に向かうように構成されている。一方、窓面の少なくとも下部側にブラインドが設けられていることにより、窓面の下部側に入射した昼光は、ブラインドによって遮蔽される。
そして、窓面に入射した昼光のうち、窓面の上部側に入射して光屈折フィルムに入射する昼光は、光屈折フィルムによって室内の天井に向かうように屈折し、室内の天井にあたり室内に向かって反射するため、昼光を効率よく利用して室内を明るくすることができる。
また、窓面に入射した昼光のうち、窓面の下部側に入射した昼光（光屈折フィルムへ入射しない昼光）は、ブラインドによって室内へ入射しないように遮蔽されるため、室内の居住者に直接昼光が当たることがなく、居住者が眩しさを感じることをなくすことができて、照明エネルギーを削減しつつ室内の光環境を向上させることができる。
また、光屈折フィルム貼付工程と、ブラインド設置工程とを行うことで、照明エネルギーを削減しつつ室内の光環境を向上させることができる窓部構造を容易に構築することができる。
また、光屈折フィルム貼付工程と、ブラインド改修工程とを行うことで、照明エネルギーを削減しつつ室内の光環境を向上させることができる窓部構造を改修工事においても容易に構築することができる。
【図面の簡単な説明】
【００２６】
【図１】本発明の第１実施形態による窓部構造の一例を示す図である。
【図２】本発明の第２実施形態による窓部構造の一例を示す図である。
【図３】本発明の第３実施形態による窓部構造の一例を示す図である。
【図４】本発明の第４実施形態による窓部構造の一例を示す図である。
【図５】本発明の第５実施形態による窓部構造の一例を示す図である。
【図６】本発明の第６実施形態による窓部構造の一例を示す図である。
【図７】本発明の第１実施形態による窓部構造の他の一例を示す図である。
【発明を実施するための形態】
【００２７】
（第１実施形態）
以下、本発明の第１実施形態による窓部構造について、図１に基づいて説明する。
図１に示すように、第１実施形態による窓部構造１Ａは、室内１１と室外１２とを仕切る壁面１３に設けられた窓ガラス１４に沿って窓ガラス１４の室内１１側に設置されたブラインド２と光屈折フィルム３とを備えている。
【００２８】
ブラインド２は、高さ方向に配列された複数のスラット２１，２１…と、複数のスラット２１，２１…の上側に設けられたヘッドボックス２２と、複数のスラット２１，２１…の下側に設けられたボトムレール２３と、ヘッドボックス２２から垂下し複数のスラット２１，２１…およびボトムレール２３を吊り支持する複数のラダーコード（不図示）と、を備えている。
複数のスラット２１，２１…は、窓ガラス１４の面に沿った水平方向に延びる長尺の薄板状に形成されている。また、ヘッドボックス２２およびボトムレール２３も窓ガラス１４の面に沿った水平方向に延びる長尺の部材に形成されている。
【００２９】
窓ガラス１４の室内１１側には、例えば室内１１の居住者１５の目線よりも上方となる室内１１の床面１６から約２ｍの高さにブラインドボックス１８が設けられていて、このブラインドボックス１８にヘッドボックス２２が固定されている。そして、ブラインド２は、窓ガラス１４の面の床面１６から約２ｍ以下の部分を開閉可能に構成されている。
そして、複数のスラット２１，２１…およびボトムレール２３は、ラダーコードの操作により高さ方向に移動可能で、複数のスラット２１，２１…およびボトムレール２３が上方に移動することで窓ガラス１４の面を開放し（開放状態）、下方に移動することで窓ガラス１４の面を覆う（閉鎖状態）ように構成されている。
【００３０】
光屈折フィルム３は、透明または半透明のシート状または薄板状のフィルムで、一方の面側から入射した光の大部分を屈折させて他方の面側に透過させるように構成されている。
光屈折フィルム３は、窓ガラス１４の面の床面１６から約２ｍよりも上の部分（以下、上部１４ａ側とする）に貼りつけられている。
このような光屈折フィルム３は、室外１２側の斜め上方から昼光が入射すると、入射した昼光を室内１１の天井１７に向かうように屈折させることができる。
【００３１】
次に、上述した窓部構造１Ａの作用・効果について図面を用いて説明する。
第１実施形態による窓部構造１Ａでは、室外１２から室内１１に入射する昼光のうち、窓ガラス１４の面の上部１４ａ側に入射して光屈折フィルム３に入射する昼光は、大部分が光屈折フィルム３によって室内１１の天井１７に向かうように屈折する。そして、光屈折フィルム３を透過した昼光は、室内１１の天井１７にあたり室内１１に向かって反射するため、昼光を効率よく利用して室内１１を明るくすることができる。
また、窓ガラス１４を透過した昼光のうち、窓ガラス１４の面の下部１４ｂ側に入射した昼光（光屈折フィルム３へ入射しない昼光）は、複数のスラット２１，２１…によって室内１１へ入射しないように遮蔽されるため、室内１１の居住者１５に直接昼光が当たることがなく、居住者１５が眩しさを感じることをなくすことができて、照明エネルギーを削減しつつ室内１１の光環境を向上させることができる。
【００３２】
また、上述した窓部構造１Ａを設置する窓部構造の設置方法は、窓ガラス１４の面の上部１４ａ側に光屈折フィルム３を貼りつける光屈折フィルム貼付工程と、窓ガラス１４の面の床面１６から約２ｍ以下の部分を開閉可能なブラインド２を設置するブラインド設置工程とを行えばよいため、窓部構造１Ａを容易に構築することができる。
【００３３】
次に、他の実施形態について、添付図面に基づいて説明するが、上述の第１実施形態と同一又は同様な部材、部分には同一の符号を用いて説明を省略し、第１実施形態と異なる構成について説明する。
【００３４】
（第２実施形態）
図２に示すように、第２実施形態による窓部構造１Ｂでは、ブラインド２Ｂ（２）は、窓ガラス１４の上方に設けられたブラインドボックス１８にヘッドボックス２２が固定されていて、複数のスラット２１，２１…が窓ガラス１４の全面を開閉可能に構成されている。
なお、光屈折フィルム３は、第１実施形態と同様に窓ガラス１４の面の上部１４ａ側に貼りつけられている。
そして、複数のスラット２１，２１…のうち、窓ガラス１４の上部１４ａ側（光屈折フィルム３が貼りつけられている部分）に対応する位置を遮蔽可能なスラット２１，２１…を上側スラット２１Ａ，２１Ａ…とし、上側スラット２１Ａ，２１Ａ…よりも下方のスラット２１，２１…を下側スラット２１Ｂ，２１Ｂ…とすると、高さ方向に隣り合う上側スラット２１Ａ，２１Ａの間隔は、高さ方向に隣り合う下側スラット２１Ｂ，２１Ｂの間隔よりも大きくなるように構成されている。
【００３５】
第２実施形態による窓部構造１Ｂによれば、高さ方向に隣り合う上側スラット２１Ａ，２１Ａの間隔は、高さ方向に隣り合う下側スラット２１Ｂ，２１Ｂの間隔よりも大きくなるように構成されていることにより、窓ガラス１４の面の上部１４ａ側に入射して光屈折フィルム３に入射し、光屈折フィルム３によって屈折した昼光は、高さ方向に隣り合う上側スラット２１Ａ，２１Ａの間を通過しやすくなる。
このため、室外１２から室内１１に入射する昼光のうち、窓ガラス１４の面の上部１４ａ側に入射して光屈折フィルム３に入射する昼光は、大部分が光屈折フィルム３によって屈折し、高さ方向に隣り合う上側スラット２１Ａ，２１Ａの間を通過して室内１１の天井１７に向かい、天井１７にあたって室内１１に向かって反射するとともに、窓ガラス１４の面の下部１４ｂ側に入射した昼光は、複数の下側スラット２１Ｂ，２１Ｂ…によって室内１１へ入射しないように遮蔽されるため、第１実施形態と同様の効果を奏する。
【００３６】
また、窓ガラス１４の室内１１側にブラインドが設置されている既存の窓部構造を、第２実施形態による窓部構造１Ｂに改修するための窓部構造の改修方法は、窓ガラス１４の面の上部１４ａ側に光屈折フィルム３を貼りつける光屈折フィルム貼付工程と、ブラインド２Ｂの上部１４ａ側のスラット２１，２１…を間引く工程を行えばよいため、窓部構造１Ｂを容易に構築することができる。
【００３７】
（第３実施形態）
図３に示すように、第３実施形態による窓部構造１Ｃでは、ブラインド２Ｃ（２）は、窓ガラス１４の上方に設けられたブラインドボックス１８にヘッドボックス２２が固定されていて、窓ガラス１４の面の下部１４ｂ側（光屈折フィルム３が貼りつけられていない部分）に対応する位置を遮蔽可能な複数のスラット２１，２１が取り付けられていて、窓ガラスの上部１４ａ側に対応する位置のスラット２１が取り外された状態となっている。
なお、光屈折フィルム３は、第１実施形態と同様に窓ガラス１４の面の上部１４ａ側に貼りつけられている。
これにより、ブラインド２Ｃの複数のスラット２１，２１…と光屈折フィルム３とは水平方向に重ならないように構成されている。
【００３８】
第３実施形態による窓部構造１Ｃによれば、窓ガラス１４の面の上部１４ａ側に入射して光屈折フィルム３に入射し、光屈折フィルム３によって屈折した昼光は、スラット２１によって室内１１に入射することを遮蔽されず天井に向かい、天井１７にあたって室内１１に向かって反射するとともに、窓ガラス１４の面の下部１４ｂ側に入射した昼光は、複数のスラット２１，２１…によって室内１１へ入射しないように遮蔽されるため、第１実施形態と同様の効果を奏する。
【００３９】
また、窓ガラス１４の室内１１側にブラインドが設置されている既存の窓部構造を、第３実施形態による窓部構造１Ｃに改修するための窓部構造の改修方法は、窓ガラス１４の面の上部１４ａ側に光屈折フィルム３を貼りつける光屈折フィルム貼付工程と、ブラインド２の上部１４ａ側のスラット２１，２１…を取り外す工程を行えばよいため、窓部構造１Ｃを容易に構築することができる。
【００４０】
（第４実施形態）
図４に示すように、第４実施形態による窓部構造１Ｄは、第２実施形態と同様にブラインド２Ｄ（２）は、複数のスラット２１，２１…が窓ガラス１４の全面を開閉可能に構成されているとともに、光屈折フィルム３は、窓ガラス１４の面の上部１４ａ側に貼りつけられている。
そして、上側スラット２１Ａ，２１Ａ…は、下側スラット２１Ｂ，２１Ｂ…よりも反射率の高い材料で形成されていて、光屈折フィルム３を透過した昼光を室内１１の天井１７に向かって反射可能な傾斜角度に調整されている。
【００４１】
第４実施形態による窓部構造１Ｄによれば、窓ガラス１４の面の上部１４ａ側に入射して光屈折フィルム３に入射し、光屈折フィルム３によって屈折した昼光は、一部が上下方向に隣り合う上側スラット２１Ａ，２１Ａの間を通過し、その他の一部が上側スラット２１Ａにあたり室内１１の天井１７へ向かって効率よく反射し天井１７にあたって室内１１に向かって反射するとともに、窓ガラス１４の面の下部１４ｂ側に入射した昼光は、下側スラット２１Ｂ，２１Ｂ…によって室内１１へ入射しないように遮蔽されるため、第１実施形態と同様の効果を奏する。
【００４２】
また、窓ガラス１４の室内１１側にブラインドが設置されている既存の窓部構造を、第４実施形態による窓部構造１Ｄに改修するための窓部構造の改修方法は、窓ガラス１４の面の上部１４ａ側に光屈折フィルム３を貼りつける光屈折フィルム貼付工程と、ブラインド２Ｄの上側スラット２１Ａ，２１Ａ…を反射率の高い材料で形成されたスラットに付け替える工程とを行えばよいため、窓部構造１Ｄを容易に構築することができる。
【００４３】
（第５実施形態）
図５に示すように、第５実施形態による窓部構造１Ｅは、第２実施形態と同様にブラインド２Ｅ（２）は、複数のスラット２１，２１…が窓ガラス１４の全面を開閉可能に構成されているとともに、光屈折フィルム３は、窓ガラス１４の面の上部１４ａ側に貼りつけられている。
そして、上側スラット２１Ａ，２１Ａ…は、光透過性の材料（例えば、透明の材料）で形成されていて、一方の面側から入射した昼光を他方の面側に透過するように構成されている。なお、下側スラット２１Ｂ，２１Ｂ…は、一方の面側から入射した昼光を遮蔽して他方の面側に透過させない材料で形成されている。
【００４４】
第５実施形態による窓部構造１Ｅによれば、窓ガラス１４の面の上部１４ａ側に入射して光屈折フィルム３に入射し、光屈折フィルム３によって屈折した昼光は、上側スラット２１Ａ，２１Ａ…を透過して天井１７に向かい、天井１７にあたって室内１１に向かって反射するとともに、窓ガラス１４の面の下部１４ｂ側に入射した昼光は、下側スラット２１Ｂ，２１Ｂ…によって室内１１へ入射しないように遮蔽されるため、第１実施形態と同様の効果を奏する。
【００４５】
また、窓ガラス１４の室内１１側にブラインドが設置されている既存の窓部構造を、第５実施形態による窓部構造１Ｅに改修するための窓部構造の改修方法は、窓ガラス１４の面の上部１４ａ側に光屈折フィルム３を貼りつける光屈折フィルム貼付工程と、ブラインド２Ｅの上側スラット２１Ａ，２１Ａ…を、光透過性の材料で形成されていて一方の面側から入射した昼光を他方の面側に透過するように構成されたスラットに付け替える工程とを行えばよいため、窓部構造１Ｅを容易に構築することができる。
【００４６】
（第６実施形態）
図６に示すように、第６実施形態による窓部構造１Ｆは、第２実施形態と同様にブラインド２Ｆ（２）は、複数のスラット２１，２１…が窓ガラス１４の全面を開閉可能に構成されているとともに、光屈折フィルム３は、窓ガラス１４の面の上部１４ａ側に貼りつけられている。
そして、上側スラット２１Ａ，２１Ａ…の水平面に対する傾斜角度θ１は、下側スラット２１Ｂ，２１Ｂ…の水平面に対する傾斜角度θ２よりも小さくなるように構成されている。
上側スラット２１Ａ，２１Ａ…の水平面に対する傾斜角度θ１は、下側スラット２１Ｂ，２１Ｂ…の水平面に対する傾斜角度θ２よりも小さくなるようにするには、例えば、ブラインド２Ｆに、上側スラット２１Ａの水平面に対する傾斜角度θ１と、下側スラット２１Ｂの水平面に対する傾斜角度θ２とをそれぞれ個別に調整可能なブラインドを使用してもよいし、ラダーコード（不図示）を調整して上側スラット２１Ａ，２１Ａ…の水平面に対する傾斜角度θ１および下側スラット２１Ｂ，２１Ｂ…の水平面に対する傾斜角度θ２の一方または両方を調整してもよい。
【００４７】
第６実施形態による窓部構造１Ｆによれば、上側スラット２１Ａ，２１Ａ…の水平面に対する傾斜角度θ１は、下側スラット２１Ｂ，２１Ｂ…の水平面に対する傾斜角度θ２よりも小さくなるように構成されていることにより、高さ方向に隣り合う上側スラット２１Ａ，２１Ａの間のほうが高さ方向に隣り合う下側スラット２１Ｂ，２１Ｂの間よりも昼光が通過しやすくなる。
このため、窓ガラス１４の面の上部１４ａ側に入射して光屈折フィルム３に入射し、光屈折フィルム３によって屈折した昼光は、高さ方向に隣り合う上側スラット２１Ａ，２１Ａの間を通過して天井１７に向かい、天井１７にあたって室内１１に向かって反射するとともに、窓ガラス１４の面の下部１４ｂ側に入射した昼光は、ブラインド２の下側スラット２１Ｂ，２１Ｂ…によって室内１１へ入射しないように遮蔽されるため、第１実施形態と同様の効果を奏する。
【００４８】
また、窓ガラス１４の室内１１側にブラインドが設置されている既存の窓部構造を、第６実施形態による窓部構造１Ｆに改修するための窓部構造の改修方法は、窓ガラス１４の面の上部１４ａ側に光屈折フィルム３を貼りつける光屈折フィルム貼付工程と、上側スラット２１Ａ，２１Ａ…の水平面に対する傾斜角度θ１を、下側スラット２１Ｂ，２１Ｂ…の水平面に対する傾斜角度θ２よりも小さくするブラインド改修工程と、を行う。
【００４９】
このようなブラインド改修工程における作業としては、例えば、上側スラットＡのうち最下部にある上側最下部スラット２１Ａａと、その直下にある下側スラット２１Ｂとの間に位置するラダーコードの室内側にあるコード（不図示）をつまんだり、上側最下部スラット２１Ａの室内１１側の端部と、その直下にある下側スラット２１Ｂに室内１１側の端部とを当接または近接させたりする。
このような作業により、上側最下部スラット２１Ａの室内１１側の端部と、その直下にある下側スラット２１Ｂに室内１１側の端部との間隔ｄ１が、他の上下方向に重なるスラット２１，２１の室内側端部の間隔ｄ２よりも小さくなるため、上側スラット２１Ａ，２１Ａ…の水平面に対する傾斜角度θ１が、下側スラット２１Ｂ，２１Ｂ…の水平面に対する傾斜角度θ２よりも小さくなる。
このように、屈折フィルム貼付工程と上記のようなブラインド改修工程とを行うことで、改修工事においても窓部構造１Ｆを容易に構築することができる。
【００５０】
以上、本発明による窓部構造の実施形態について説明したが、本発明は上記の実施形態に限定されるものではなく、その趣旨を逸脱しない範囲で適宜変更可能である。
例えば、上記の実施形態では、ブラインド２は、ブラインドボックス１８にブラインド２のヘッドボックス２２が固定されていて、複数のスラット２１，２１…およびボトムレール２３は、ラダーコードの操作により高さ方向に移動可能で、複数のスラット２１，２１…およびボトムレール２３が上方に移動することで窓ガラス１４の面を開放し（開放状態）、下方に移動することで窓ガラス１４の面を覆う（閉鎖状態）ように構成されているが、図７に示す窓部構造１Ｇのように、窓ガラス１４の下端部近傍に設けられたブラインドボックス１８に固定されていて、複数のスラット２１，２１…が上方に移動することで閉鎖状態となり、下方に移動することで開放状態となるように構成されていてもよい。
【００５１】
また、上記の実施形態では、光屈折フィルム３は、室内１１の居住者１５の目線よりも上方となる室内１１の床面１６から約２ｍの高さに設けられているが、室内１１の床面１６から約２ｍの高さに設けられていなくてもよく、窓ガラス１４の面の上部１４ａ側に入射した昼光が天井１７へ向かい、下部１４ｂ側に入射した昼光が室内１１に入射することを遮蔽できれば、室内１１の用途や形状などに合わせた高さに設けられていてもよい。
また、上記の実施形態では、窓ガラス１４の面の下部１４ｂ側に入射した昼光は、下側スラット２１Ｂ，２１Ｂ…によってすべて室内１１に入射しないように遮蔽されているが、室内１１の用途や形状などに合わせて一部を室内１１へ導入し、それ以外を室内１１へ入射しないように遮蔽してもよい。
【符号の説明】
【００５２】
１Ａ〜１Ｇ  窓部構造
２，２Ｂ〜２Ｆ  ブラインド
３  光屈折フィルム
１１  室内
１２  室外
１３  壁面
１４  窓ガラス（窓）
１６  床面
１７  天井
２１  スラット
２１Ａ  上側スラット
２１Ｂ  下側スラット
θ１，θ２  傾斜角度
【図１】
2015101861.tif 000003
【図２】
2015101861.tif 000004
【図３】
2015101861.tif 000005
【図４】
2015101861.tif 000006
【図５】
2015101861.tif 000007
【図６】
2015101861.tif 000008
【図７】
2015101861.tif 000009